(57)【要約】【課題】魚礁本体へ容易に固定が出来ると共に、成形体を一工程にて製作することができ、且つ強度を低下させることなく生産効率を大幅に向上する漁場施設用成形体を提供する。【解決手段】貝殻２を骨材としたコンクリートが固化してなり透水性を有する本体３を形成する。この本体３の内外面に貝殻２による凹凸部を有し、本体３の内外面間に透水性を有しており、本体の中央方向に向かってコ字型鋼製縁部４又はＬ字型鋼製縁部を両端に備える。このコ字型鋼製縁部４に漁場架台10に溶接等により固定可能な固定用鋼材８，８Ａが取り付けられる。また、本体３の成形時において、内側型枠にダンボール材７を用いたことにより、型枠の取扱・保守・管理の手間を省くことができると共に、強度の高い成形体を高い生産効率で製作できるようになる。【選択図】図３
2014045720.tif 000002
【特許請求の範囲】
【請求項１】
貝殻を骨材としたコンクリートが固化してなり透水性を有する本体と、この本体の両端に鋼製の補強体を備えると共に、前記補強体は鋼製枠により構成されることを特徴とする漁場施設用成形体。
【請求項２】
前記補強体は前記本体の中央方向に向かってコ字型又はＬ字型に開口しており、該コ字型又はＬ字型の型枠内部にコンクリートで固化しうる貝殻固化体を充填可能とすると共に、前記本体より強度が高い非透水性の鋼製枠部によって形成されることを特徴とする請求項１記載の漁場施設用成形体。
【請求項３】
前記補強体は設置面へ接合可能とした鋼製の固定部材を設けたことを特徴とする請求項１〜２記載の漁場施設用成形体。
【請求項４】
前記本体及び前記補強体が円筒状をなし、前記本体の内外面に前記貝殻による凹凸部を有し、前記本体の内外面間に透水性を有することを特徴とする請求項１〜３のいずれか１項に記載の漁場施設用成形体。
【請求項５】
前記本体及び前記補強体が略半円筒状をなし、円周方向両端に略同一平面に位置する載置面を設け、前記本体の内外面に前記貝殻による凹凸部を有し、前記本体の内外面間に透水性を有すると共に、前記補強体には前記載置面に接合可能とする鋼製の固定部材を備えることを特徴とする請求項１〜３のいずれか１項に記載の漁場施設用成形体。
【請求項６】
骨材となる貝殻をコンクリートにより固化させた本体と、
この本体の両端部に備えた鋼製の補強体とからなる漁場施設用成形体の製造方法であって、
前記補強体はコ字型又はＬ字型の鋼製枠からなり、
前記本体の成形時において、内側型枠に紙材を用いたことを特徴とする漁場施設用成形体の製造方法。
【発明の詳細な説明】
【技術分野】
【０００１】
本発明は、多毛類、小型甲殻類及び魚類のための魚礁・増殖礁などに好適な漁場施設用成形体およびその製造方法に関する。
【背景技術】
【０００２】
従来、この種のものとして、海中において、魚介類の飼料となる飼料生物を培養するためのものであって、セメント材料を含有し、中空筒状をなし、表面から肉厚内に連通する細孔部を有しポーラス状をなす飼料培養ブロック（例えば特許文献１）が提案されている。
【０００３】
上記飼料培養ブロックはポーラス状をなすため、飼料生物が付着し棲息する飼料培養ブロック上の表面積を一挙に増大することができるが、内筒体を用いないため、ポーラス状に形成すると強度が低下する虞がある。
【０００４】
上記の問題点を解決するものとして、貝殻を骨材としたコンクリートを固化してなる成形体の内外面間に透水性を有する凹凸部を形成し、この成形体の両端を強度の高いコンクリート縁部による補強体を設けた円筒状の漁場施設用成形体(例えば特許文献２)によれば、透水性を有する成形体の両端部に強度の高いコンクリート縁部を設けたことで、全体として強度を確保することができる成形体とすることができる。
【先行技術文献】
【特許文献】
【０００５】
【特許文献１】特開２００３−２０４７３２号公報
【特許文献２】実用新案第３１６１６３３号公報
【発明の概要】
【発明が解決しようとする課題】
【０００６】
しかしながら、従来の漁場施設用成形体では、成形体の両端をコンクリート縁部にて成形しているので、両端枠の補強体と中央の本体部と製造する際に、三分割された鋼製の製造用内側型枠を用いて三工程に分けて製作する必要があり、保守・管理に手間がかかると共に成形体の製造に係るコスト高にも繋がる。
【０００７】
また、コンクリート縁部による構造のため、魚礁本体に固定する場合、取付用の鋼製枠を成形体本体の両端の枠ごと納めて取付ける必要があり、保守・管理が大きな手間であった。
【０００８】
そこで、本発明は、上記問題点を解決するものであり、簡易な構成と手段により、魚礁本体への固定が出来ると共に、成形体を一工程にて製作することができ、且つ強度を低下させることなく生産効率を大幅に向上する漁場施設用成形体を提供することを目的とする。
【０００９】
また、第二の目的として、幼稚仔保護機能に優れ、微生物の発生を促進し、且つ効果的な繁茂の為の着生面を備えた成形体を提供するものである。
【課題を解決するための手段】
【００１０】
請求項１の発明は漁場施設用成形体は、貝殻を骨材としたコンクリートが固化してなり透水性を有する本体と、この本体の両端に鋼製の補強体を備えると共に、前記補強体は鋼製枠により構成されることを特徴とする。
【００１１】
請求項２の発明の漁場施設用成形体は、請求項１において、前記補強体は前記本体の中央方向に向かってコ字型又はＬ字型に開口しており、該コ字型又はＬ字型の型枠内部にコンクリートで固化しうる貝殻固化体を充填可能とすると共に、前記本体より強度が高い非透水性の鋼製枠部によって形成されることを特徴とする。
【００１２】
請求項３の発明の漁場施設用成形体は、請求項１〜２において、前記補強体は設置面へ接合可能とした鋼製の固定部材を設けたことを特徴とする。
【００１３】
請求項４の発明の漁場施設用成形体は、請求項１〜３のいずれか１項において、前記本体及び前記補強体が円筒状をなし、前記本体の内外面に前記貝殻による凹凸部を有し、前記本体の内外面間に透水性を有することを特徴とする。
【００１４】
請求項５の発明の漁場施設用成形体は、請求項１〜３において、前記本体及び前記補強体が略半円筒状をなし、円周方向両端に略同一平面に位置する載置面を設け、前記本体の内外面に前記貝殻による凹凸部を有し、前記本体の内外面間に透水性を有すると共に、前記補強体には前記載置面に接合可能とする鋼製の固定部材を備えることを特徴とする。
【００１５】
請求項５の発明の漁場施設用成形体は、請求項１〜３のいずれか１項において、前記本体及び前記補強体が略半円筒状をなし、円周方向両端に略同一平面に位置する載置面を設け、前記本体の内外面に前記貝殻による凹凸部を有し、前記本体の内外面間に透水性を有すると共に、前記補強体には前記載置面に接合可能とする鋼製の固定部材を備えることを特徴とする。
【００１６】
請求項６の発明の漁場施設用成形体の製造方法は、骨材となる貝殻をコンクリートにより固化させた本体と、この本体の両端部に備えた鋼製の補強体とからなる漁場施設用成形体の製造方法であって、前記補強体はコ字型又はＬ字型の鋼製枠からなり、前記本体の成形時において、内側型枠に紙材を用いたことを特徴とする。
【発明の効果】
【００１７】
請求項１の発明によれば、成形体の両端にコ字型又はＬ字型鋼製枠の補強体を採用することにより、一工程にて製作することが出来るので、生産効率が大幅に向上する。
【００１８】
請求項２の発明によれば、本体の両端部に強度の高い鋼製枠部を設けることで、成形体の強度の向上を図れると共に、断面がコ字型又はＬ字型で形成された鋼製枠の内部に貝殻固化体を充填できるので、モルタルの使用量が少なく安価に生産が可能となる。
【００１９】
請求項３の発明によれば、鋼製の補強体であることから、魚礁本体の設置面へ固定するための鋼製の固定部材の取付けが容易にできるので、溶接等の固定手段によって設置面に確実に取付けることができる。
【００２０】
請求項４の発明によれば、円筒状をなす本体の両端部に鋼製の縁部を設けたことで強度を確保することができる。また、本体の内外面に凹凸部を有すると共に本体が透水性を有することにより、海藻類が着生し易いと共に、有用魚類を効果的に蝟集させることができる。
【００２１】
請求項５の発明によれば、略半円筒状をなす本体の両端部に鋼製の縁部を設けることにより、強度を確保することができる。また、本体の内外面に凹凸部を有すると共に本体が透水性を有することにより、海水の潮通しが良くなり、有用微小生物の着生を促進すると共に、海藻類の着生生育を助長する。また、半円筒の内部は、アワビ、サザエ等の貝類の良好な生息施設となり、且つ魚類の幼稚仔保護機能空間となる。
【００２２】
請求項６の発明によれば、製作時における内側型枠にダンボール材を用いることで型枠の取扱・保守・管理の手間を省くことができる。また、強度の高い成形体を高い生産効率で製作できるようになる。
【図面の簡単な説明】
【００２３】
【図１】本発明の実施例１を示す斜視図である。
【図２】同上、側面から見た断面図である。
【図３】同上、製造時におけるダンボール材の使用状態を示す側面からの断面図である。
【図４】同上、ダンボール材の斜視図である。
【図５】同上、設置状態を示す斜視図である。
【図６】本発明の実施例２を示す斜視図である。
【図７】同上、正面から見た断面図である。
【図８】本発明の実施例３を示す斜視図である。
【図９】本発明の実施例４を示す正面図である。
【図１０】本発明の実施例５を示す斜視図である。
【発明を実施するための最良の形態】
【００２４】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な漁場施設用成形体を採用することにより、従来にない漁場施設用成形体が得られ、その漁場施設用成形体について記述する。
【実施例１】
【００２５】
以下、本発明の実施例を添付図面を参照して説明する。図１は本発明の実施例を示しており、同図面に示したように、本実施例の漁場施設用成形体１は、貝殻２を骨材としたコンクリートを固化して成形した円筒状の本体３と、この本体３の長さ方向の両端部にそれぞれ設けられた補強体４，４とを備えており、前記補強体４，４は、貝殻２を固化した本体３よりも高強度且つ、非透水性の鋼製が用いられている。そして、前記本体３の内外面にそれぞれ前記貝殻２により凹凸部５が形成されている。尚、前記本体内には図示しない鉄筋が配筋されている。
【００２６】
また、前記本体３は内面と外面との間で水が通過可能な透水性を備える。この場合、使用するコンクリートの水セメント比を調整することにより、透水性を備えた本体３を形成する。
【００２７】
本発明の漁場施設用成形体１では、図２(Ａ)に示すように、前記補強体たるコ字型鋼製縁部４Ｋ，４Ｋが本体３の中央方向に向かって側面視略コ字型に形成されており、貝殻２を骨材としたコンクリートと混合させた貝殻固化体２´が鋼製内部４Ａに充填して固化されるようになっている。そして、前記コ字型鋼製縁部４Ｋ，４Ｋは鋼製外部４Ｂは勿論、内側端部４Ｃ及び外側端部４Ｄそれぞれの強度を保つことで、特に、長さ方向端部に貝殻２が露出しないため、成形体１が壊れ難くなり、組立時や沈設時及び運搬時に成形体１を落下させても、両端部のコ字型鋼製縁部４，４が衝撃を吸収するので、落下強度が高いものとなる。
【００２８】
また、本実施例の図２(Ｂ)では、Ｌ字型鋼製縁部４Ｌの補強体４，４として本体３の両端を構成した実施例を示しており、断面視略Ｌ字型によって形成されている。また、Ｌ字型鋼製縁部４Ｌの鋼管内部４Ａに貝殻２を骨材としたコンクリートと混合させた貝殻固化体２´を充填させて、透水性を有する貝殻固化体２´にて固化体内側面４Ｅを形成させている。このように本実施例のＬ字型鋼製縁部４Ｌでは、補強体４，４の強度を保ちつつも、固化体内側面４Ｅにおける貝殻固化体２´の面積を大きく透水性も向上させたことで、有用微生物の発生を増加させると共に、魚類の稚魚やアワビ、サザエ等の養生を促進させることができる。
【００２９】
以上のように、鋼製内部４Ａを固化剤によって固化したコ字型鋼製縁部４Ｋ，４Ｋ及びＬ字型鋼製縁部４Ｌ，４Ｌは、強固な補強体として前記本体３より強度を高く成形することができ、本体３と補強体４，４との良好な一体化を図ることができる。
【００３０】
次に、図３〜図４を参照して、漁場施設用成形体１の製造方法において、コ字型鋼製縁部４Ｋによる補強体４を用いた例について説明すると、製造時は、内側型枠たる筒状に形成される紙材たるダンボール材７を芯材として、円筒蓋型に形成されたコ字型鋼製縁部４Ｋの中央部に嵌着させた後、鋼製内部４Ａに骨材となる貝殻２とコンクリートを混合させた貝殻固化体２´の充填を行う。具体的には、図３に示すように、下部にコ字型鋼製縁部４を配置し、外面に剥離剤を塗布又は噴霧したダンボール材７を配置すると共に、このダンボール材７と間隔を置いて外周に金網などの外型枠31を配置し、それらダンボール材７と外型枠31との間に、セメントやセメントミルクと混合した貝殻２を充填し、この後、上部にコ字型鋼製縁部４Ｋを配置し、外部から外型枠31を通して貝殻２にセメントやセメントミルクなどの固化材30を噴霧する。尚、この製造段階において、両端部のコ字型鋼製縁部４Ｋの鋼製内部４Ａにも貝殻固化体２´を隙間無く充填させることで、高剛性な補強体４の成形がなされるようになる。そして、前記貝殻２とコンクリートを混合させた貝殻固化体２´は、コ字型鋼製縁部４Ｋの鋼製内部４Ａの厚み幅に合わせて満遍なく充填される。このようにして貝殻固化体２´の充填を行い十分に固化させることにより、本体３の内外面にそれぞれ貝殻２による凹凸部５が形成されて、漁場施設用成形体１の本体３の製造が行われるものである。
【００３１】
以上のように、コ字型鋼製縁部４Ｋの内側端部４Ｃ及び外側端部４Ｄの高さと鋼製外部４Ｂの厚み幅の分だけ、貝殻固化体２´を充填し固化させることで、高い強度を備えた成形体１とすることができる。また、本体３の貝殻固化体２´が完全に固化したら、内側型枠たるダンボール材７の適所に図示しない剥離剤を塗布又は噴霧して、前記ダンボール材７を剥離させて除去作業を行う。
【００３２】
次に、ダンボール材７の除去作業について説明すると、図４に示すように、本実施例で使用する内側型枠であるダンボール材７は、厚さが薄肉で螺旋状の渦巻線７Ｌを有するから、剥離する際には、渦巻線７Ｌの先端部７Ｔの渦巻線７Ｌから、螺旋状に剥離する。そして、渦巻線７Ｌは他の部分より薄肉のため、ここから引裂くようにしてダンボール材７の剥離を容易に行うことができ、また、引裂き部たる渦巻線７Ｌとしてミシン目を設けてもよい。このようにして、貝殻固化体２´の内面部に貼着しているダンボール材７を剥離する除去作業を容易に行うことができ、製造された漁場施設用成形体１は、本体３の補強体たるコ字型鋼製縁部４Ｋによって高い剛性が備えられると共に、内側型枠にダンボール材７を使用することにより、型枠の取扱いが容易となり、製造工程の削減が可能である。
【００３３】
次に、漁場施設用成形体１の使用時における設置に関して図５を参照して、コ字型鋼製縁部４Ｋによる補強体４を用いた例について説明する。図中に示す漁場施設用成形体１は、海水の水深域での漁場造成を行う際に、本体３を漁場基部９に固定された状態であり、本体３の両端を構成するコ字型鋼製縁部４Ｋの側部の第一接合部８Ｓに固定用鋼材８が溶接等の接合手段によって固定されている。尚、コ字型鋼製縁部４Ｋに固定される固定用鋼材８は、主にアーク溶接やガス溶接等、各種の溶接方法によって接合がなされるが、溶接以外の固定方法として、コ字型鋼製縁部４の側部の第一接合部８Ｓに取付用の溝を設けて鋼製具や鋼製バンド等の固定手段を用いてもよい。
【００３４】
また、本体３を魚礁基部９へ固定する際には、第一接合部８Ｓと同様に第二接合部８Ｔへ溶接により接合することで、本体３の魚礁基部９への固定がなされるものである。
【００３５】
以上のように、従来では、漁場施設用成形体１の両端枠を構成する補強体にコンクリート材料にて成形していた場合、本体３の両端枠の補強体と本体中央部とを三分割可能な鋼製のヒューム管（内側型枠）を用いて、三工程で製造する必要があったが、上記のとおり本願実施例では、貝殻２を骨材としたコンクリートが固化してなり透水性を有する本体３と、この本体３の両端に鋼製の補強体４を備えることにより、一工程にて製作することが出来るので、生産効率が大幅に向上する。
【００３６】
また、このように本実施例では、補強体は本体３の中央方向に向かってコ字型又はＬ字型に開口しており、該コ字型又はＬ字型の型枠内部にコンクリートで固化しうる貝殻固化体２を充填可能とすると共に、本体３より強度が高い非透水性の鋼製枠部たるコ字型鋼製縁部４Ｋ又はＬ字型鋼製縁部４Ｌによって形成されるので、本体３の両端部に強度の高い鋼製枠部を設けることで、成形体の強度の向上が図れると共に、コ字型鋼製縁部４Ｋ又はＬ字型鋼製縁部４Ｌの鋼製内部４Ａに貝殻固化体２を充填できるので、少量で安価に生産可能となる。
【００３７】
さらに、従来では、成形体を魚礁本体への固定手段として、両端枠の補強体がコンクリートにて成形してあるため、補強体の両端を枠毎固定する必要があり、製作コストや取付作業の面から大変煩雑であったが、上記のとおり本実施例では、補強体４を漁場基部９へ接合可能とした鋼製の固定部材たる固定用鋼材８を設けたので、魚礁本体の設置面たる魚礁基部９へ固定するための鋼製の固定部材たる固定用鋼材８の取付けが容易にでき、溶接等の固定手段によって魚礁基部９に確実に取付けることができる。
【００３８】
また、このように本実施例では、本体３及び補強体４たるコ字型鋼製縁部４Ｋ及びＬ字型鋼製縁部４Ｌが円筒状をなし、本体３の内外面に貝殻２による凹凸部５を有し、本体３の内外面間に透水性を有するので、成形体全体の強度を確保することができる。また、海藻類が着生し易いと共に、有用魚類を効果的に蝟集させることができる。
【００３９】
さらに、従来の漁場施設用成形体１の製造方法では、本体３の製造時における内側型枠を構成のヒューム管を使用しており、保守・管理の面で課題が生じていたが、上記のとおり本実施例では、骨材となる貝殻２をコンクリートにより固化させた本体３と、この本体３の両端部に備えた鋼製の補強体たるコ字型鋼製縁部４Ｋ及びＬ字型鋼製縁部４Ｌとからなり、本体３の成形時において、内側型枠に紙材たるダンボール材７を用いたことにより、型枠の取扱・保守・管理の手間を省くことができる。また、強度の高い漁場施設用成形体１を高い生産効率で製作できるようになる。
【実施例２】
【００４０】
図６〜図７は本発明の実施例２を示しており、上記実施例１と同一部分に同一符号を付し、その詳細な説明を省略して詳述する。本実施例の魚礁施設用成形体１Ａは略半円筒状をなし、その略円筒半円筒状の本体３の長さ方向端部に、略半円筒状のコ字型鋼製縁部４を設け、前記成形体１Ａの円周方向両端には、載置面６，６を設け、この載置面６，６は、成形体１Ａの直径方向に形成され、略同一平面上に位置する。尚、前記成形体１Ａの製造方法としては、従来では、円筒状の成形体の内側鋼管に中仕切りを入れて円筒を二分割するので、取扱が面倒であり、管理が煩雑であったが、本実施例の半円筒状の魚礁施設用成形体１Ａは、製造時に使用する内側型枠７Ｇの作成材料として、前記実施例１で詳述した紙材たるダンボール材の他、プラスチックや鋼製等、種々の資材を用いることができる。このように、本実施例の半円筒状の内側型枠７Ｇを使用することにより、製造時に必要な数量だけ生産が可能であり、１個毎に無駄の無い製造が可能となる。
【００４１】
また、図７に示すように、成形体１Ａの設置状態において、従来では、半円筒の成形体１Ａを用いる場合には、漁場架台10(魚礁基部)に固定する際に、補強体の素材がコンクリートであることから、漁場架台10に成形体１Ａの載置面６，６の下部を埋設させて固定しなければならなかったが、本実施例では、成形体１Ａを漁場架台10に載置して固定するための手段として、鋼製の補強体であることから、固定用鋼材８Ａを用いて前記漁場架台10の上面に直接、溶接等の手段によって容易に取付けが可能である。
【００４２】
また、魚類の蝟集効果に関しては、成形体１Ａを構成する貝殻２とコンクリートを固化させた貝殻固化体２´は、透水性を有する貝殻２の凹凸部５により、微細で複雑な表面を形成することができるので、有用微生物を付着させ、繁殖させることができる。
【００４３】
さらに、成形体１Ａの外面は藻類の着生面積が大きいことから、所望する有用藻類たる着生藻類11の繁茂を促進する。これにより、ワカメ、コンブ類等の隠花藻類は勿論、カジメ、アラメ、ホンダワラ等の大型褐藻類を群落状に養生させることで、飼料培養機能に優れた魚礁施設用成形体１Ａを構築することができる。
【００４４】
また、成形体１Ａの半円筒内部12は、有用魚類の好適な隠れ家にもなることで、高い幼稚仔保護機能を有することができ、有用魚類や稚魚、貝類等の養生を促進させることができる。
【００４５】
以上のように、従来の藻芭礁では、天然石、コンクリート、プラスチック等で形成された平板的なものが多く、この平板的な藻場礁では、有用藻類の養生面積が小さく、且つ通水性が無いか或いは、少ないことから藻類の繁茂状態が必ずしも良好ではなかったが、上記のとおり本願実施例では、本体３及び補強体たるコ字型鋼製縁部４又はＬ字型鋼製縁部４Ｌが略半円筒状をなし、円周方向両側に略同一平面に位置する載置面６を設け、本体３の内外面に貝殻２による凹凸部５を有し、本体の内外面間に透水性を有すると共に、鋼製の補強体には載置面６に接合可能とする固定用鋼材８Ａを備えるので、本体３の強度を確保することができる。さらに、海藻類が繁茂し易いと共に、アワビやサザエ等の貝類を着生させ、有用魚類を効果的に蝟集させることができる。
【００４６】
そして、設置の際には固定用鋼材８Ａを備えているので、溶接等の固定手段によって設置面に容易に取付けることができる。
【００４７】
また、本実施例によれば、海水潮流による通水性が良く藻の生育に効果を発揮する。また、本願の実施例２の半円筒の成形体１Ａは通水性のある貝殻固化体２´を半円筒にしたものであるので、飼料生物の繁殖が良好であることから、幼稚仔保護機能に優れた魚礁施設を構築することが可能となる。
【実施例３】
【００４８】
図８は本発明の実施例３を示しており、上記実施例１〜２と同一部分に同一符号を付し、その詳細な説明を省略して詳述する。本実施例での人工魚礁35は、コンクリートで造成した底板36を土台として、４箇所の角部に垂直方向へ縦梁35Ｂを延在するように構成され、横梁35Ａを介して上板37が上面部に固定されている。また、縦梁35Ｂの中間部位には上面の横梁35Ａを左右方向へ支持する補強梁35Ｃがそれぞれ上部に延設している。そして、底板36及び上板37の上面には平らに形成された表層部36Ｔ，37Ｔをそれぞれ備え、前記上板37の表層部37Ｔには、半円筒状成形体22をそれぞれ載置面６に載置させる。
【００４９】
このように、上板37の表層部37Ｔに載置させた半円筒状成形体22を、4箇所の角度で密に、不規則な向きに変えて配置させている。さらに、隣り合う半円筒状成形体22の軸心は略９０°の角度を為し、全方向から有用魚類を半円筒状成形体２２の内部に蝟集させることができる。
【００５０】
また、本実施例では、前記半円筒状成形体22を載置させた状態としているが、上記実施例１〜２で説明した固定手段を用いることは勿論可能である。
【実施例４】
【００５１】
図９は本発明の実施例４を示しており、上記実施例１〜３と同一部分に同一符号を付し、その詳細な説明を省略して詳述する。本実施例での人工魚礁20は、横梁20Ａと縦梁20Ｂを立体状に組成した鋼製枠体25とから構成する。鋼製枠体25には、傾斜型又はＸ型に交叉させて架設させた補強梁20Ｃによって鋼製各部の補強がなされている。そして、上記実施例１〜２で詳述した円筒状成形体21及び半円筒状成形体22を漁場架台10に載置させる。そして、コ字型鋼製縁部４の両端に固定用鋼材８，８Ａを取付け、前記漁場架台10の当接面に溶接等の固定手段によって固定する。
【００５２】
このように、本実施例では、成形体たる円筒状成形体21及び半円筒状成形体22の両端の補強体が鋼製であるので、人工魚礁20の漁場架台10に直接取付けることが出来て、取付用鋼製枠が簡易的な取付金具部材であれば固定可能である。また、図中に設置した円筒状成形体21及び半円筒成形体22の位置は、沈設する海域や蝟集する有用魚類の成育環境等によって、適宜選択すればよい。
【００５３】
そして、円筒状成形体21及び半円筒状成形体22の表面は、貝殻２による複雑な凹凸部５が形成されていることから、多毛類や小型甲殻類の棲息に適した環境となり、これら生物を蝟集させて増殖する。その結果、これらを飼料とするメバル類、タイ、カレイやアイナメ等の有用魚類を蝟集することができる。また、例えばヤリイカ等のイカ類の産卵を促す産卵鋼板23を備える産卵機能部24によって、稚魚を育成する環境も構築することができる。
【００５４】
以上のように、従来の人工魚礁では、魚類の蝟集、増殖、保護育成、藻場等、それぞれの単機能か、或いは２〜３種類の目的を主体としていたが、上記のとおり本実施例の人工魚礁20は、魚礁全体が人工礁による有用魚類の蝟集機能を有し、魚類の棲息に必要な産卵・増殖・保護育成・蝟集・飼料培養・藻場等を一つの人工礁に付与したものであり、天然の環境に、より近い人工礁を提供することができる。
【実施例５】
【００５５】
図10は、本発明の円筒状成形体21を立体構造物となる大型の人工魚礁40に設置した場合の実施例５を示している。本実施例の人工魚礁40は、海底面等に沈設させ、湧昇流を発生させることで、有用魚類の効果的な蝟集を目的とした人工魚礁40であって、縦梁49および横梁50を立体状に組んだ鋼製枠体51と、この鋼製枠体51から突出する複数の鉄塔52とから構成される。また、前記鋼製枠体51の内部には上下および左右に不規則に隣接させた複数の収納枠部48が形成されており、これら収容枠部48の前面と背面および鋼製枠体51の上面にはＸ型に交叉する鋼製枠体51の補強を行うための補強梁47が架設されている。また、前記鉄塔52は、前記鋼製枠体51の中央部に立体状の鋼製柱42によって複数立設させており、その下部を前記鋼製枠体51に貫通状態で突出させた形態となっている。また、前記鉄塔52は、四本の鋼製柱42によって構成されており、鉄塔40の下部に複数の横梁41を架設して上下に並んだ複数の収納枠部46を形成している。さらに、前記鉄塔40のほぼ中央及び上端部には補強用横梁44が架設されて各鉄塔40を連結している。また、人工魚礁40全体の強度確保のため前記鉄塔40の側部と、鋼製枠体51の上面にそれぞれ補強梁43，45を架設している。
【００５６】
このようにして成形された人工魚礁40の鋼製枠体51及び鉄塔52の各収納枠部46，48には、貝殻を骨材とした本体３と、この本体３の両端に鋼製の補強体４を備えた円筒状成形体21が適宜配置されている。この各収納枠部46，48に配置される円筒状成形体21は上下の各円筒状成形体21が互いに直交するようにして配置されており、図示しない収納枠部46，48の架台に溶接等によって固定され取り付けられている。また、人工魚礁40に前記半円筒状成形体22を適宜配置してもよい。
【００５７】
以上のように、本実施例での人工魚礁40では、鋼製の補強体を用いて溶接等により固定することができるので、当該人工魚礁40を設置する海域や海底環境などに応じて、各収納枠部46，48内に配置された円筒状成形体21の位置や数量を容易に調整することができるようになり、鉄塔40及び鋼製枠体51内における魚礁密度の調整を可能とするものである。
【産業上の利用可能性】
【００５８】
以上、本発明の実施例について詳述したが、本発明は、前記実施例に限定されるものではなく、本発明の要旨の範囲内で種々の変形実施が可能である。例えば、前記実施例では、成形体１，１Ａとして中空円筒状のものを示したが、角筒状の成形体を人工魚礁の漁場架台10に配置するように構成してもよく、この形状に合わせたコ字型鋼製縁部による補強体でもよい。
【符号の説明】
【００５９】
１、１Ａ  漁場施設用成形体
２        貝殻
２´      貝殻固化体
３        本体
４        補強体
４Ｋ      コ字型鋼製縁部
４Ｌ      Ｌ字型鋼製縁部
５        凹凸部
６        載置面
７        ダンボール材（紙材）
８、８Ａ  固定用鋼材（固定部材）
【図１】
2014045720.tif 000003
【図２】
2014045720.tif 000004
【図３】
2014045720.tif 000005
【図４】
2014045720.tif 000006
【図５】
2014045720.tif 000007
【図６】
2014045720.tif 000008
【図７】
2014045720.tif 000009
【図８】
2014045720.tif 000010
【図９】
2014045720.tif 000011
【図１０】
2014045720.tif 000012